(57)【要約】【課題】ブックマークコマンドや操作メニューなどのブックマークを設定するための画像を表示させることなく、表示画面に対する直観的な操作を行うだけで容易にブックマークを設定することができるようにする。【解決手段】画像表示装置１０は、画像データを表示する表示部３と、表示部３の前方の空間領域を撮影する撮影部２と、撮影部２が撮影した画像を解析して、ジェスチャを判定するための所定の判定対象の有無を判断する画像解析部１１と、画像解析部１１により判断された判定対象のジェスチャが所定のジェスチャに該当するか否かを判定するジェスチャ判断部１２と、ジェスチャ判断部１２による判定結果に従って、表示部３に表示させた画像データにブックマークを設定するブックマーク設定部１５と、を備える。【選択図】図１
2015090581.tif 000002
【特許請求の範囲】
【請求項１】
画像データを表示する表示部と、
前記表示部の前方の空間領域を撮影する撮影部と、
該撮影部が撮影した画像を解析して、ジェスチャを判定するための所定の判定対象の有無を判断する画像解析部と、
該画像解析部により判断された判定対象のジェスチャが所定のジェスチャに該当するか否かを判断するジェスチャ判断部と、
該ジェスチャ判断部による判断結果に従って、前記表示部に表示させた画像データにブックマークを設定するブックマーク設定部と、を備えることを特徴とする画像表示装置。
【請求項２】
請求項１に記載の画像表示装置において、
前記画像解析部により解析された前記判定対象の３次元空間の位置に応じて、前記表示部に前記ポインタを表示させる表示制御部と、
前記表示部に表示されたポインタが、表示された前記画像データの特定の領域に位置しているか否かを判定する領域判定部とを有し、
前記表示制御部は、前記画像解析部が解析した判定対象が３次元空間上に検出されたときに前記表示部に前記ポインタを表示し、
前記ブックマーク設定部は、前記領域判定部により前記ポインタが前記特定の領域に位置していると判定され、かつ前記ジェスチャ判断部により前記判定対象が所定の第１のジェスチャを行ったと判定された場合、ブックマークの設定処理を開始し、
該ブックマークの設定処理を開始した後、前記ポインタが前記特定の領域からさらに特定の方向に所定長以上移動し、前記ジェスチャ判断部により前記判定対象が所定の第２のジェスチャを行ったことが判定された場合、前記ブックマーク設定部は、前記特定の領域を含む画像データにブックマークを設定することを特徴とする画像表示装置。
【請求項３】
請求項２に記載の画像表示装置において、
前記表示制御部は、前記画像解析部が解析した判定対象が３次元空間上に２点検出されたときに前記表示部に所定の大きさの前記ポインタを表示し、
前記ブックマーク設定部は、前記領域判定部により、前記所定の大きさのポインタが前記特定の領域に位置していると判定され、かつ前記ジェスチャ判断部により前記２点の判定対象が前記所定の第１のジェスチャを行ったと判定された場合、前記ポインタの大きさを変更して表示して前記ブックマークの設定処理を開始し、
前記大きさが変更されたポインタが前記特定の領域からさらに特定の方向に所定長以上移動し、前記ジェスチャ判断部により前記２点の判定対象が前記所定の第２のジェスチャを行ったことが判定された場合、前記ブックマーク設定部は、前記特定の領域を含む画像データにブックマークを設定することを特徴とする画像表示装置。
【請求項４】
請求項３に記載の画像表示装置において、
前記所定の第１のジェスチャは、前記２点の判定対象の距離を第１の所定値以下まで小さくするジェスチャであり、前記所定の第２のジェスチャは、前記２点の判定対象の距離を第２の所定値より大きくするジェスチャであることを特徴とする画像表示装置。
【請求項５】
請求項２〜４のいずれか１に記載の画像表示装置において、
前記特定の領域は、前記表示部に表示した画像データのページのコーナー部であり、前記特定の方向は、前記コーナー部から前記ページ内へ向かう方向であることを特徴とする画像表示装置。
【請求項６】
請求項２〜４のいずれか１に記載の画像表示装置において、
前記特定の領域は、前記表示部に表示した画像データのページの端部であり、前記特定の方向は、前記端部から前記ページ内へ向かう方向、もしくはページ外へ向かう方向であることを特徴とする画像表示装置。
【請求項７】
請求項３または４に記載の画像表示装置において、
前記表示制御部は、前記第１のジェスチャが判定された前記ポインタの大きさを変更してから、前記ポインタが前記特定の方向に移動するときに、前記ページの形状を前記特定の方向への移動に応じて所定形状に変形させて表示させることを特徴とする画像表示装置。
【発明の詳細な説明】
【技術分野】
【０００１】
本発明は、画像表示装置に関し、より詳細には、画像表示したドキュメントにブックマークを付与する機能と備えた画像表示装置に関する。
【背景技術】
【０００２】
画像表示装置として、電子書籍などのドキュメントなどを表示させているときに、表示されている画像データやウェブページのアドレスなどをブックマーク（いわゆる栞）として記憶させる機能を有するものが普及している。
例えば電子書籍を表示させてユーザがその電子書籍による読書を行う場合、ユーザが読書を中断したいとき、ブックマークを設定して読書中のページを登録することにより、次にその電子書籍を記憶媒体から読み出したときに、中断したページから読書を続行することができる。
【０００３】
画像表示装置でブックマークを設定するための先行技術として、例えば特許文献１には、書籍コンテンツを表示した表示手段に対して、指またはペンの接触による２点検知機能を有し、書籍コンテンツを表示する際に、タッチ入力手段が２点を同時に検知した場合、いずれかの１点を書籍コンテンツのしおり位置に設定する電子書籍表示装置が開示されている。
【０００４】
また、特許文献２には、書籍データを表示中に読み出されたしおり情報について、書籍データの名称が表示中の書籍データの名称と異なる場合、表示中の書籍データを閉じて、読み出された名称の書籍データを開き、一方、しおり情報の書籍データの名称が、表示中の書籍データの名称と同じ場合、表示中の書籍データの中の読み出されたページを表示させるようにした携帯情報装置が開示されている。
【０００５】
また、特許文献３には、電子書籍を再読する場合、予め入力した再読箇所を示すしおりデータを選択することにより、再読箇所のしおりマーク及びこれに対応する書籍データを即時表示するようにした電子書籍装置が開示されている。
【０００６】
また、特許文献４には、カメラによりユーザの手のジェスチャを撮像し、ユーザの点のジェスチャが予め記憶されている所定のジェスチャに一致すると判断したときに、その所定のジェスチャに関連付けられて記憶している画像加工を実行させる画像形成装置が開示されている。
【先行技術文献】
【特許文献】
【０００７】
【特許文献１】特開２０１２−８６７６号公報
【特許文献２】特開２００５−２５８９７８号公報
【特許文献３】特開２００１−１２５９２１号公報
【特許文献４】特開２００８−２５０８２３号公報
【発明の概要】
【発明が解決しようとする課題】
【０００８】
上記のようなブックマークを設定するときに、従来の画像表示装置では、ユーザは、画面表示されているブックマークコマンドボタンを選択したり、特定の操作メニューからブックマークコマンドを選択する必要があった。この場合、ブックマークコマンドを表示させ、あるいは操作メニューを表示させるときに表示部の表示領域をある程度占有するため、使い勝手を阻害することがあった。特に表示部の表示領域が狭いタッチ操作式の携帯情報端末などの場合、ブックマークコマンドや操作メニューを表示させるために、ドキュメント等の表示領域が狭くなってしまったり、ドキュメントの上に重ねて表示させたときにドキュメントが見え難くなる、などの問題が生じる。
【０００９】
この場合、例えばユーザが画像データを見ながら直観的にジェスチャを行うことでブックマークを設定できれば有用であるが、従来このような技術は用いられていない。また、上記特許文献には、タッチ操作によりブックマークを設定したり、ジェスチャにより画像加工を実行させるものが開示されているが、ジェスチャにより直感的な動作を行うことで、画面表示を阻害することなく容易にブックマークを設定するようにしたものは開示されていない。
【００１０】
本発明は、上述のごとき実情に鑑みてなされたもので、ブックマークコマンドや操作メニューなどのブックマークを設定するための画像を表示させることなく、表示画面に対する直観的な操作を行うだけで容易にブックマークを設定することができるようにした画像表示装置を提供することを目的とする。
【課題を解決するための手段】
【００１１】
上記課題を解決するために、本発明の第１の技術手段は、画像データを表示する表示部と、前記表示部の前方の空間領域を撮影する撮影部と、該撮影部が撮影した画像を解析して、ジェスチャを判定するための所定の判定対象の有無を判断する画像解析部と、該画像解析部により判断された判定対象のジェスチャが所定のジェスチャに該当するか否かを判断するジェスチャ判断部と、該ジェスチャ判断部による判断結果に従って、前記表示部に表示させた画像データにブックマークを設定するブックマーク設定部と、を備えることを特徴としたものである。
【００１２】
第２の技術手段は、第１の技術手段において、前記画像解析部により解析された前記判定対象の３次元空間の位置に応じて、前記表示部に前記ポインタを表示させる表示制御部と、前記表示部に表示されたポインタが、表示された前記画像データの特定の領域に位置しているか否かを判定する領域判定部とを有し、前記表示制御部は、前記画像解析部が解析した判定対象が前記３次元空間上に検出されたときに前記表示部に前記ポインタを表示し、前記ブックマーク設定部は、前記領域判定部により前記ポインタが前記特定の領域に位置していると判定され、かつ前記ジェスチャ判断部により前記判定対象が所定の第１のジェスチャを行ったと判定された場合、ブックマークの設定処理を開始し、該ブックマークの設定処理を開始した後、前記ポインタが前記特定の領域からさらに特定の方向に所定長以上移動し、前記ジェスチャ判断部により前記判定対象が所定の第２のジェスチャを行ったことが判定された場合、前記ブックマーク設定部は、前記特定の領域を含む画像データにブックマークを設定することを特徴としたものである。
【００１３】
第３の技術手段は、第２の技術手段において、前記表示制御部が、前記画像解析部が解析した判定対象が前記３次元空間上に２点検出されたときに前記表示部に所定の大きさの前記ポインタを表示し、前記ブックマーク設定部は、前記領域判定部により、前記所定の大きさのポインタが前記特定の領域に位置していると判定され、かつ前記ジェスチャ判断部により前記２点の判定対象が前記所定の第１のジェスチャを行ったと判定された場合、前記ポインタの大きさを変更して表示して前記ブックマークの設定処理を開始し、前記大きさが変更されたポインタが前記特定の領域からさらに特定の方向に所定長以上移動し、前記ジェスチャ判断部により前記２点の判定対象が前記所定の第２のジェスチャを行ったことが判定された場合、前記ブックマーク設定部は、前記特定の領域を含む画像データにブックマークを設定することを特徴としたものである。
【００１４】
第４の技術手段は、第３の技術手段において、前記所定の第１のジェスチャが、前記２点の判定対象の距離を第１の所定値以下まで小さくするジェスチャであり、前記所定の第２のジェスチャは、前記２点の判定対象の距離を第２の所定値より大きくするジェスチャであることを特徴としたものである。
【００１５】
第５の技術手段は、第２〜４のいずれか１の技術手段において、前記特定の領域が、前記表示部に表示した画像データのページのコーナー部であり、前記特定の方向は、前記コーナー部から前記ページ内へ向かう方向であることを特徴としたものである。
【００１６】
第６の技術手段は、第２〜４のいずれか１の技術手段において、前記特定の領域が、前記表示部に表示した画像データのページの端部であり、前記特定の方向は、前記端部から前記ページ内へ向かう方向、もしくはページ外へ向かう方向であることを特徴としたものである。
【００１７】
第７の技術手段は、第３または４の技術手段において、前記表示制御部が、前記第１のジェスチャが判定された前記ポインタの大きさを変更してから、前記ポインタが前記特定の方向に移動するときに、前記ページの形状を前記特定の方向への移動に応じて所定形状に変形させて表示させることを特徴としたものである。
【発明の効果】
【００１８】
本発明によれば、ブックマークコマンドや操作メニューなどのブックマークを設定するための画像を表示させることなく、表示画面に対する直観的な操作を行うだけで容易にブックマークを設定することができるようにした画像表示装置を提供することができる。
【図面の簡単な説明】
【００１９】
【図１】本発明による画像表示装置の機能構成例を示すブロック図である。
【図２】本発明による画像表示装置の外観を概略的に示す図である。
【図３】本発明による画像表示装置におけるブックマークの設定処理に係る第１の実施形態を説明する図である。
【図４】本発明による画像表示装置におけるブックマークの設定処理に係る第１の実施形態を説明する図で、図３に続く図である。
【図５】実施形態１の処理の流れを説明するためのフローチャートである。
【図６】実施形態１の処理の流れを説明するためのフローチャートで、図５に続く図である。
【図７】本発明による画像表示装置におけるブックマークの指定処理に係る第２の実施形態を説明する図である。
【図８】本発明による画像表示装置におけるブックマークの指定処理に係る第２の実施形態を説明する図で、図７に続く図である。
【図９】本発明による画像表示装置におけるブックマークの指定処理に係る第２の実施形態を説明する図で、図８に続く図である。
【図１０】実施形態２による処理の流れを説明するためのフローチャートである。
【図１１】実施形態２による処理の流れを説明するためのフローチャートで、図１０に続く図である。
【図１２】本発明による画像表示装置におけるブックマークの指定処理に係る第３の実施形態を説明する図である。
【図１３】本発明による画像表示装置におけるブックマークの指定処理に係る第３の実施形態を説明する図で、図１２に続く図である。
【図１４】実施形態３による処理の流れを説明するためのフローチャートである。
【図１５】実施形態３による処理の流れを説明するためのフローチャートで、図１５に続く図である。
【発明を実施するための形態】
【００２０】
図１は、本発明による画像表示装置の機能構成例を示すブロック図である。
制御部１は、ＣＰＵ（Central Processing Unit）などの制御プロセッサにより構成され、画像表示装置１０の各部を統括して制御する。制御部１は、記憶部５に記憶されたプログラムおよびデータを読み出して実行することで、画像表示装置１０の各種機能を実現する。記憶部５は、ＲＡＭ（Random Access Memory）、ＲＯＭ（Read Only Memory）、ＨＤＤ（Hard Disk Drive）などの各種の記憶手段である。
【００２１】
表示部３は、液晶パネルなどによるディスプレイであり、画像表示装置１０の操作メニュー画面や、電子書籍などの画像データを表示させる。撮影部２は、表示部３の前方の空間領域を撮像するＣＣＤ等のカメラである。撮影画像は、ユーザの指先等によるジェスチャ動作を判別するための解析に使用される。
操作部４は、ユーザによる操作入力を受け付ける。操作部４は、ハードキーやボタンなどの他、表示部３の表画面に上に設けたタッチパネルとして構成することができる。
【００２２】
制御部１は、その機能として画像解析部１１、ジェスチャ判断部１２、領域判定部１３、表示制御部１４、及びブックマーク設定部１５を有している。
表示制御部１４は、表示部３に対する表示制御を行うもので、例えば電子書籍などのドキュメント等の画像データを記憶部５の画像記憶エリア５１から読み出して表示部３に表示させる。また、表示制御部１４は、表示部３に表示されたドキュメントなどの画像データに対してユーザによる所定のジェスチャに応じた表示制御を行う。例えば表示部３に対するポインタ表示や、ドキュメントなどの角折りやページ端部の折り込みなどの表示、あるいはブックマークの表示の制御等を行う。ポインタは、後述する画像解析部１１による画像解析の結果、表示部３の前方空間におけるユーザの指先位置に応じて表示部３の画面内に表示される。表示部３の前方空間は、画像表示装置１０の表示画面を上にして水平に置いたときには、表示部３の上方空間となる。
【００２３】
また、画像表示装置１０は、画像形成部を備えて画像データを記録媒体に画像形成（印刷）する手段を付与することで画像形成装置を構成することができる。この場合、表示制御部１４は、画像形成すべき画像データのプレビュー画像を表示部３に表示させる制御を行うようにすることができる。
【００２４】
ユーザは、電子書籍などのドキュメントの画像データを表示部３に表示させ、その状態で表示部３の前方空間で所定のジェスチャを行うだけで、表示中のドキュメントに対するブックマーク（栞）の設定処理を実行させることができる。
画像解析部１１は、撮影部２が撮影した画像を解析し、表示部３の前方の３次元空間領域からユーザの手の指先を検出する。ユーザの指先は、ジェスチャを判定するための所定の判定対象として定められたものである。
【００２５】
画像解析部１１がユーザの指先を検出する手法としては、例えば解析対象となる３次元空間を異なる位置から撮影する２つの撮影装置を撮影部２に使用する。そして画像解析部１１は、２つの撮影装置で撮影された画像を比較し、人の手と判断できる画像の存在を検知する。人の手と判断できる画像の存在は、例えば撮影画像の輝度値を解析して、所定の輝度レベルをもつ領域が手と判断できる形状となっているかを判断する。例えば対象領域外から延びる腕のような形状と、その先端の手と指の形状とを所定のアルゴリズムで判断し、指とみなされる先端部分を指先として検出する。
【００２６】
また画像解析部１１は、２つの撮影装置の撮像画像を解析して、指先の３次元空間上の位置を検出する。ここでは例えば１方の撮影画像で手の指先と判断された画像が、他方の撮影画像のどの位置にあるかを検出する。この場合、一方の撮影画像をブロックに分割し、他方の画像の画素値との差分をとって、差分の総和や最小２乗和を演算し、一方のブロックに最も似ているブロック位置を判断する。これにより、１方の撮影画像における手の位置と、他方の画像における同じ手の位置を検出できる。そして２つの撮影装置の距離と、２つの撮影画像における手の位置のずれ量とから、撮影装置から指先までの３次元空間内での距離を演算し、手の指先の３次元空間における位置を特定することができる。
【００２７】
そして画像解析部１１は、検出した指先の３次元空間内の座標情報を取得し、記憶部５に記憶させる。座標情報は、３次元空間の位置を規定する情報であり、例えば表示部３前方の直方体空間の一つの頂点を原点として、互いに直交するＸＹＺ軸上に設定した座標の位置を示すものとする。画像解析部１１は、指先が検出された後、その指先が動いた場合にも指先の３次元空間上の座標位置の検出を継続して実行する。なお、画像解析により指先検出を行い、３次元空間上の座標位置を検出する手法は上記に限ることなく、公知の検出技術を適用することができる。
【００２８】
ジェスチャ判断部１２は、画像解析部１１による解析結果に従って、ユーザの手の指先の動きを認識し、その指先の動きが予め定めた所定のジェスチャの動作に該当するか否か判断する。判断すべきジェスチャとしては、例えば、１本または２本の指先を３次元空間内で移動させるジェスチャ、２本の指先を閉じるもしくは開くジェスチャ、閉じた２本の指先を所定方向に移動させるジェスチャ、などがあり、各ジェスチャに応じて制御動作が予め設定される。
【００２９】
領域判定部１３は、ユーザの指先の状態に応じて表示部３に表示されたポインタが、表示されたドキュメントの所定領域にあるか否かを判定する。例えば、ドキュメントの１ページのコーナー部にポインタがある場合、その位置から内側にポインタを移動させて所定のジェスチャを行うことにより角折りのブックマークを設定できる。領域判定部１３は、このときにポインタの状態と、そのポインタがページのコーナー部にあるか否かを判定する。
【００３０】
あるいは、表示部３に表示されたポインタが、ドキュメントの１ページの左右もしくは上下の端部にかかるように表示されている場合、その位置から内側もしくは外側にポインタを移動させて所定のジェスチャを行うことによりブックマークとして栞付与を行うことができる。領域判定部１３は、このときのポインタの状態と、そのポインタがページの左右または上下の端部にかかる領域にあるか否かを判定する。
【００３１】
ブックマーク設定部１５は、表示部３に表示しているドキュメントにブックマーク（栞）を設定する。例えばブックマーク設定部１５は、領域判定部１３により、所定の大きさのポインタが特定の領域に位置していると判定され、かつジェスチャ判断部１２により指先が所定の第１のジェスチャを行ったと判定された場合、ブックマークの設定処理を開始する。そしてポインタが特定の領域からさらに特定の方向に所定長以上移動し、ジェスチャ判断部１２により指先が所定の第２のジェスチャを行ったことが判定された場合、特定の領域を含む画像データにブックマークを設定する処理を行う。第１のジェスチャと第２のジェスチャは、ユーザの指先を閉じたり開いたりする動作として定められ、これによりユーザは、電子書籍のページのコーナーや端部を摘まんで放すような直感的な動作によって、ブックマークを設定することができる。
また、ここでは表示制御部１４は、ページの角折りの場合には、ブックマークされたページの角を折って表示させ、また、ドキュメントのページに栞を貼付する場合、ドキュメントの所定位置に栞を表示させる。
【００３２】
記憶部５の画像記憶エリア５１には、表示部３に表示される画像データが記憶される。この画像データは、ブックマークの指定可能な電子書籍などのドキュメントの画像データ等とされる。画像データとしては、例えば画像表示装置１０が備える図示しない通信インタフェースを介してネットワークから取得したり、他の情報端末から無線または有線により取得したり、あるいは可搬型のメモリから読み出して取得したものを記憶させておくことができる。
【００３３】
記憶部５のポイント数記憶エリア５２には、画像解析部１１により解析されたユーザの指先の数をポイント数として記憶保持する。記憶保持されているポイント数の情報は、ポインタ形状の変更、ブックマークの設定のためのジェスチャの判断などに使用される。
栞／ブックマーク記憶エリア５３は、ドキュメントなどの画像データに付与された栞などのブックマークの情報を記憶する。画像記憶エリア５１に記憶されたドキュメントなどの画像データにブックマークが指定され、次回その画像データが画像記憶エリア５１から読み出された場合、制御部１の表示制御部１４は、栞／ブックマーク記憶エリア５３に記憶されたブックマーク情報を使用して、ブックマークされたページから表示を開始させることができる。
【００３４】
図２は、本発明による画像表示装置の外観を概略的に示す図で、図２（Ａ）は画像表示装置の斜視概略図、図２（Ｂ）は図２（Ａ）の画像表示装置の本体筐体の上面概略構成図である。
画像表示装置１０は、電子書籍などのドキュメント等の画像データを表示する表示部３を備えている。表示部３にはタッチ操作が可能なタッチセンサが形成される。表示部３の近傍には、表示部３の画面前方におけるユーザの操作を撮影するための撮影部２が設けられている。撮影部２により撮影された画像を解析することで、表示部３に表示された画像データの前方の空間領域でユーザの指先の有無を判別する。そしてユーザの指先に応じて表示部３にポインタを表示し、ブックマークを設定する所定のジェスチャが行われた場合、表示されている電子書籍等のドキュメントに対してブックマークを設定する処理を行うことができる。
【００３５】
以下に、画像表示装置が判定するジェスチャとブックマークの設定処理に係る実施形態を具体的に説明する。
（実施形態１） 
図３〜図４は、本発明による画像表示装置におけるブックマークの設定処理に係る第１の実施形態を説明する図で、表示部に対して電子書籍を表示したときのブックマークの設定処理を示すものである。
【００３６】
図３（Ａ）では、表示部３に電子書籍２０の画像データを表示させた状態を示している。ここではユーザはページ捲りのタッチ操作等を行うことで、電子書籍２０のページを捲りながら読書を行うことができる。読書を中断するときなどにおいて、ユーザがブックマークを付与したい場合、図３（Ｂ）に示すように、まずユーザは、表示部３の前方で指を１本伸ばした状態のジェスチャを行う。画像解析部１１がユーザの指先３０を示す特徴点を１ポイント検出した場合、表示制御部１４は、所定の大きさのポインタ２１を表示部３に表示する。
【００３７】
ポインタ２１の表示位置は、表示部３上の３次元空間における指先３０の位置に応じたものとする。例えば表示部３の表示画面の法線であって、画像解析部１１が解析した指先３０を通る上記法線が表示画面に交わる位置にポインタ２１を表示させるようにする。この場合、画像解析部１１が解析した指先３０の３次元空間上の座標に基づいて、表示部３の表示画面におけるポインタ２１の位置を演算することができる。
【００３８】
ユーザが指を２本伸ばした状態にすると、図３（Ｃ）に示すように、画像解析部１１がユーザの指先３０を示す特徴点を２ポイント検出する。このときに表示制御部１４は、ポインタ２１の大きさを大きく変更して、ビッグポインタとして表示させる。ビッグポインタの大きさは予め定められている。このときのポインタ２１の表示位置は、例えば２ポイントの特徴点の中間位置の座標に応じたものとすることができるがこれに限定されない。そして図３（Ｄ）では、ユーザは、表示されている電子書籍２０のページのコーナー部に向けてポインタ２１を移動させる。
【００３９】
図３（Ｅ）において、ポインタ２１がページのコーナー部へ近づき、コーナーの頂点から所定距離以内になると、指先３０を移動させなくても、自動的にポインタ２１がページのコーナー部に吸着されるように移動する。これにより、ページのコーナー部にポインタ２１が位置する。
図３（Ｆ）では、ユーザは、２つの指先３０の間隔を狭くする。画像解析部１１が画像解析により指先３０の間隔を検出し、表示制御部１４は、検出された指先３０の間隔をポインタ２１のサイズに反映させて表示する。つまり、２つの指先３０の間隔が短くなるほど、ポインタ２１のサイズを小さくする。
【００４０】
図４（Ａ）において、２つの指先３０の間隔が所定値以下になったとき、ブックマーク設定部１５は、ポインタ２１の位置を示す情報を栞／ブックマーク記憶エリア５３に記憶させる。これにより、ブックマーク設定部１５によるブックマークの設定処理が開始される。指先３０の間隔を所定値以下にするジェスチャが、本発明の所定の第１のジェスチャに該当する。
次に図４（Ｂ）では、ユーザは指先３０を移動させて、コーナー部をページの内側に織り込むようにポインタ２１を移動させる。この場合、ページ内へポインタを移動させる方向が本発明の特定の方向に相当し、コーナー部が本発明の特定の領域に相当する。
このとき表示制御部１４は、表示している電子書籍２０のページのコーナー部が、ポインタ２１の移動に応じて折られるような折り込み２２を表示する。これによりユーザはブックマークを設定するための処理中であることを直観的に認識することができる。
【００４１】
図４（Ｃ）に示すように、ユーザの指先３０の移動により、表示画面のポインタ２１がページのコーナー部から所定の長さ以上移動し、その後、ユーザの２点の指先３０の間隔が所定値以上まで大きくなった場合、そのページに対するブックマークを確定する。指先３０の間隔を所定値以上まで大きくするジェスチャは、本発明の第２のジェスチャに相当する。このときの所定値は、上記第１のジェスチャにより指先の間隔を狭くするときの所定値とは異なる値を採用できる。第１のジャスチャの判断に使用する所定値を第１の所定値とし、第２のジェスチャの判断に使用する所定値を第２の所定値とする。
これによりそのページのコーナー部には折り込み２２が表示される。そして図４（Ｄ）に示すようにブックマークの設定処理を終了し、指先が検出されなくなっても折り込み２２が表示される。設定されたブックマークは、栞／ブックマーク記憶エリア５３に記憶される。
【００４２】
そしてユーザは、所定の操作を行うことで図４（Ｅ）に示すようなブックマークページ一覧を表示させることができる。ここではこれまでブックマークを設定した電子書籍におけるブックマークを設定したページ２６を一覧にして確認することができる。そしてユーザは、一覧表示されたページ２６から任意のページを選択する操作を行うことで、そのページが開かれた電子書籍を表示させることができる。
【００４３】
図５〜図６は、実施形態１の処理の流れを説明するためのフローチャートである。以下図１の構成を参照しながら説明する。
まず、表示制御部１４は、画像記憶エリア５１から画像データのファイルを読み取り（ステップＳ１）、ファイルの内容を表示部３に表示する（ステップＳ２）。そして撮影部２よる撮影を開始し（ステップＳ３）、撮影した画像を制御部１が取得する（ステップＳ４）。そして制御部１の画像解析部１１は、取得した画像を解析する（ステップＳ５）。
【００４４】
画像解析の結果、撮影した画像からユーザの指先が検出されたか否かを判断する（ステップＳ６）。ここで指先が検出されなければ、ステップＳ４に戻って、撮影された画像を取得する。また、指先が検出された場合（ステップＳ６−Ｙｅｓ）、画像解析部１１は、その指先が１ポイントであるかを判別する（ステップＳ７）。１ポイントとは、１本の指先のみが検出されたことを意味する。ここで検出された指先が１ポイントであれば、その検出位置に応じたポインタの表示位置が、ブックマーク位置か否かを判別する（ステップＳ２４）。ブックマーク位置とは、電子書籍に設定されているブックマークを表示する位置であり、この位置をポインタで操作することにより、ブックマークを設定した電子書籍を開くことができる。
【００４５】
１ポイントの指先に応じたポインタの表示位置がブックマーク位置である場合には、表示制御部１４は、そのブックマークに応じた電子書籍のページを開いて表示する（ステップＳ２５）。一方、ポインタの表示位置がブックマーク位置でない場合には、表示制御部１４は、指先を検出した座標に応じてポインタ表示を行い（ステップＳ２６）、ステップＳ４に戻る。
【００４６】
ステップＳ７で、検出された指先が１ポイントではない場合、画像解析部１１は、指先が２ポイントであるかを判別する（ステップＳ８）。２ポイントとは、２本の指先が検出されたことを意味する。そして検出された指先が２ポイントである場合、表示制御部１４は、ポインタのサイズを大きくしたビッグポインタを表示させる（ステップＳ９）。
【００４７】
そして撮影部２より撮影した画像を取得して（ステップＳ１０）、画像解析部１１によって取得した画像を解析する処理を続行し（ステップＳ１１）、表示制御部１４は、画像解析部１１が検出した検出座標に相当する位置にポインタを表示させる（ステップＳ１２）。ここで領域判定部１３は、ポインタの表示位置がコーナー部近傍であるかを判定する（ステップＳ１３）。コーナー部は、ブックマークの指定処理を実行可能とした予め定められた領域の位置とされ、コーナー部近傍は、そのコーナー部に対して予め定められた距離範囲の大きさをもつ領域とされる。
【００４８】
ポインタの表示位置がコーナー部近傍でなければ、ポインタが２ポインタのままであるか判断し（ステップＳ２７）、２ポイントであればステップＳ１０に戻って画像取得を継続し、２ポイントでなければステップＳ４に戻って画像取得を継続する。
【００４９】
ステップＳ１３でポインタの表示位置がコーナー部近傍であった場合、表示制御部１４は、ポインタをコーナー部に移動させる（ステップＳ１４）。ここでは、コーナー部近傍に位置するポインタを、ユーザの指先位置に関わりなく自動的にコーナー位置にまで吸着するように移動させる。
そして撮影部２より撮影した画像を取得して（ステップＳ１５）、画像解析部１１によって画像を解析する処理を続行し（ステップＳ１６）、指先が１ポイントであるかを判断する（ステップＳ１７）。指先が１ポイントでなければ、さらに画像解析部１１は、指先が２ポイントであるか判断し（ステップＳ２８）、２ポイントであれば表示制御部１４は、２ポイントの指先の間隔に合わせたポインタ表示を行って（ステップＳ２９）、ステップＳ１５に戻る。また、２ポイントでなければ、ステップＳ４に戻って画像取得を継続する。
【００５０】
ステップＳ１７で指先が１ポイントである場合、表示制御部１４は、指先の検出座標の位置に応じてページのコーナー部の折り表示を行う（ステップＳ１８）。そしてジェスチャ判断部１２は、折り量が所定の折り量に達したか、すなわちポインタの移動量が所定長以上であるか判断する（ステップＳ１９）。ポインタの移動量が所定の折り量以上でなければ、ステップＳ１５に戻って画像を取得する。また、所定の折り量以上であれば、さらに撮影部２により撮影した画像を取得して（ステップＳ２０）、画像解析部１１によって取得した画像を解析し（ステップＳ２１）、指先が２ポイントであるかを判断する（ステップＳ２２）。
【００５１】
ここで指先が２ポイントでなければ、ステップＳ２０に戻って画像を取得する処理を続行する。また指先が２ポイントであれば、そのページへのブックマークを確定し、ブックマークを記憶し、ブックマークされた電子書籍を表示させる。ブックマークは、複数の電子書籍について設定して記憶することができる。またブックマークを記憶させるときに、以前に記憶されているブックマークを消去するようにしてもよい。
この後、ステップＳ４に戻って、撮影部２より撮影して画像を取得して画像解析部１１によって解析する処理を続行する。
【００５２】
（実施形態２）
図７〜図９は、本発明による画像表示装置におけるブックマークの指定処理に係る第２の実施形態を説明する図で、表示部に対して電子書籍を表示したときのブックマーク指定処理を示すものである。
【００５３】
まず図７（Ａ）では、表示部３に電子書籍２０の画像データを表示させた状態を示している。ここではユーザはページ捲りのタッチ操作等を行うことで、電子書籍２０のページを捲りながら読書を行うことができる。ユーザがブックマークを付与したい場合、図７（Ｂ）に示すように、ユーザは、表示部３の前方で指を１本伸ばした状態のジェスチャを行う。画像解析部１１がユーザの指先３０を示す特徴点を１ポイント検出した場合、表示制御部１４は、所定の大きさのポインタ２１を表示部３に表示する。
【００５４】
そしてユーザが指を２本伸ばした状態にすると、図７（Ｃ）に示すように、画像解析部１１がユーザの指先３０を示す特徴点を２ポイント検出する。このときに表示制御部１４は、ポインタ２１の大きさを大きく変更して、ビッグポインタとして表示させる。ビッグポインタの大きさは予め定められている。そして図７（Ｄ）では、ユーザは、表示されている電子書籍２０のページの上下または左右の端部に向けてポインタ２１を移動させる。
【００５５】
図７（Ｅ）では、ページ端部に栞を付与するユーザ所望の位置にポインタ２１を移動させる。ポインタ２１の一部がページの端部にかかっている場合、ポインタ２１の位置で栞を付与することができる。ここではページの左右及び上下の全域を栞付与可能に設定することができるが、ページの端部の一部領域のみにポインタ２１がかかっているときに栞付与を可能としてもよい。
【００５６】
そして図７（Ｆ）に示すように、ポインタ２１の一部がページの端部にかかっている状態で、ユーザは２つの指先３０の間隔を狭くする。画像解析部１１が画像解析により指先３０の間隔を検出し、表示制御部１４は、検出された指先３０の間隔をポインタ２１のサイズに反映させて表示する。つまり、２つの指先３０の間隔が短くなるほど、ポインタ２１のサイズを小さくする。
【００５７】
図８（Ａ）において、２つの指先３０の間隔が所定値以下になったとき、ブックマーク設定部１５は、ポインタ２１の位置を示す情報を栞／ブックマーク記憶エリア５３に記憶させる。これにより、ブックマーク設定部１５によるブックマークの設定処理が開始される。指先３０の間隔を所定値以下にするジェスチャが、本発明の所定の第１のジェスチャに該当する。
【００５８】
次に図８（Ｂ）では、ユーザは指先３０を移動させて、ページの内側に向けてポインタ２１を移動させる。この場合、ページ内へポインタを移動させる方向が本発明の特定の方向に相当し、ページの端部が本発明の特定の領域に相当する。
このとき表示制御部１４は、表示している電子書籍２０のページの端部が、ポインタ２１の移動に応じて内側に伸ばされるような表示２３を表示する。これによりユーザはブックマークを設定するための処理中であることを直観的に認識することができる。
【００５９】
図８（Ｃ）に示すように、ユーザの指先３０の移動により、表示画面のポインタ２１がページの端部から所定の長さ以上移動し、その後、ユーザの２点の指先３０の間隔が所定値以上まで大きくなった場合、そのページに対するブックマークを確定する。指先３０の間隔を所定値以上まで大きくするジェスチャは、本発明の第２のジェスチャに相当する。このときの所定値は、上記第１のジェスチャにより指先の間隔を狭くするときの所定値とは異なる値を採用できる。第１のジャスチャの判断に使用する所定値を第１の所定値とし、第２のジェスチャの判断に使用する所定値を第２の所定値とする。
これによりそのページの端部には、栞２４がブックマークとして表示される。そして図８（Ｄ）に示すようにブックマークの指定処理が終了し、指先が検出されなくなっても栞２４が表示される。指定されたブックマークは、栞／ブックマーク記憶エリア５３に記憶される。
【００６０】
そしてユーザは、所定の操作を行うことで図９（Ａ）に示すようなブックマークページ一覧を表示させることができる。ここではこれまでブックマークを設定した電子書籍におけるブックマークを設定したページ２６を一覧にして確認することができる。各ページ２６には栞２４が示されている。そしてユーザは、一覧表示されたページから任意のページ２６を選択する操作を行うことで、そのページ２６が開かれた電子書籍を表示させることができる。
【００６１】
図９（Ｂ）、図９（Ｃ）はブックマークページ一覧の他の例を示している。図９（Ｂ）の例は、１つの電子書籍２０に複数のブックマークを設定したときの表示例で、複数の栞２４が表示される。ユーザはこれらの栞２４から任意の栞２４を選択して表示させることができる。また、図９（Ｃ）の例は、電子書籍２０に設定した複数のブックマークを示す複数の栞２４をまとめて表示させている。ユーザはこれらの栞２４から任意の栞を選択して表示させることができる。
【００６２】
図１０〜図１１は、実施形態２による処理の流れを説明するためのフローチャートである。以下図１の構成を参照しながら説明する。
まず、表示制御部１４は、画像記憶エリア５１から画像データのファイルを読み取り（ステップＳ３１）、ファイルの内容を表示部３に表示する（ステップＳ３２）。そして撮影部２よる撮影を開始し（ステップＳ３３）、撮影した画像を制御部１が取得する（ステップＳ３４）。そして制御部１の画像解析部１１は、取得した画像を解析する（ステップＳ３５）。
【００６３】
画像解析の結果、撮影した画像からユーザの指先が検出されたか否かを判断する（ステップＳ３６）。ここで指先が検出されなければ、ステップＳ３４に戻って、撮影された画像を取得する。また、指先が検出された場合（ステップＳ３６−Ｙｅｓ）、画像解析部１１は、その指先が１ポイントであるかを判別する（ステップＳ３７）。ここで検出された指先が１ポイントであれば、その検出位置に応じたポインタの表示位置が、栞位置か否かを判別する（ステップＳ５３）。栞位置とは、電子書籍に設定されているブックマークとしての栞を表示する位置であり、この位置をポインタで操作することにより、電子書籍の栞を指定したページを開くことができる。
【００６４】
１ポイントの指先に応じたポインタの表示位置が栞位置である場合には、表示制御部１４は、その栞位置に応じた電子書籍のページを開いて表示する（ステップＳ５４）。一方、ポインタの表示位置が栞位置でない場合には、表示制御部１４は、指先を検出した座標に応じてポインタ表示を行い（ステップＳ５５）、ステップＳ３４に戻る。
【００６５】
ステップＳ３７で、検出された指先が１ポイントではない場合、画像解析部１１は、指先が２ポイントであるかを判別する（ステップＳ３８）。２ポイントとは、２本の指先が検出されたことを意味する。そして検出された指先が２ポイントである場合、表示制御部１４は、ポインタのサイズを大きくしたビッグポインタを表示させる（ステップＳ３９）。
【００６６】
そして撮影部２より撮影した画像を取得して（ステップＳ４０）、画像解析部１１によって取得した画像を解析する処理を続行し（ステップＳ４１）、表示制御部１４は、画像解析部１１が検出した検出座標に相当する位置にポインタを表示させる（ステップＳ４２）。ここで領域判定部１３は、ポインタの表示位置がページ端部であるかを判定する（ステップＳ４３）。ページ端部は、ブックマークとしての栞の設定処理を実行可能とした領域であり、ポインタの一部がページ端部にかかっている場合に所定のジェスチャを行うことでブックマークの設定処理を開始することができる。
【００６７】
ポインタの表示位置がページ端部でなければ、ポインタが２ポインタのままであるか判断し（ステップＳ５６）、２ポイントであればステップＳ４０に戻って画像取得を継続し、２ポイントでなければステップＳ３４に戻って画像取得を継続する。
ステップＳ４３でポインタの表示位置がページ端部であった場合、画像解析部１１は、撮影部２より撮影した画像を取得して（ステップＳ４４）、取得した画像を解析する処理を続行し（ステップＳ４５）、指先が１ポイントであるかを判断する（ステップＳ４６）。指先が１ポイントでなければ、さらに画像解析部１１は、指先が２ポイントであるか判断し（ステップＳ５７）、２ポイントであれば表示制御部１４は、２ポイントの指先の間隔に合わせたポインタ表示を行って（ステップＳ５８）、ステップＳ４４に戻る。また、２ポイントでなければ、ステップＳ３４に戻って画像取得を継続する。
【００６８】
ステップＳ４６で指先が１ポイントである場合、表示制御部１４は、指先の検出座標の位置に応じてページの端部の捲り表示を行う（ステップＳ４７）。そしてジェスチャ判断部１２は、捲り量が所定の捲り量に達したか、すなわちポインタの移動量が所定長以上であるか判断する（ステップＳ４８）。ポインタの移動量が所定の捲り量以上でなければ、ステップＳ４４に戻って画像を取得する。また、所定の捲り量以上であれば、さらに撮影部２により撮影した画像を取得して（ステップＳ４９）、画像解析部１１によって取得した画像を解析し（ステップＳ５０）、指先が２ポイントであるかを判断する（ステップＳ５１）。
【００６９】
ここで指先が２ポイントでなければ、ステップＳ４９に戻って画像を取得する処理を続行する。また指先が２ポイントであれば、そのページへのブックマークとして栞を確定し、栞を記憶するとともに栞を指定した電子書籍を表示させる。ブックマークとして栞は、複数の電子書籍について設定して記憶することができる。またブックマークを記憶させるときに、以前に記憶されているブックマークを消去するようにしてもよい。
この後、ステップＳ３４に戻って、撮影部２より撮影して画像を取得して画像解析部１１によって解析する処理を続行する。
【００７０】
（実施形態３）
図１２〜図１３は、本発明による画像表示装置におけるブックマークの指定処理に係る第３の実施形態を説明する図で、表示部に対して電子書籍を表示したときのブックマーク指定処理を示すものである。
【００７１】
まず図１２（Ａ）では、表示部３に電子書籍２０の画像データを表示させた状態を示している。ここではユーザはページ捲りのタッチ操作等を行うことで、電子書籍２０のページを捲りながら読書を行うことができる。ユーザがブックマークを付与したい場合、図１２（Ｂ）に示すように、ユーザは、表示部３の前方で指を１本伸ばした状態のジェスチャを行う。画像解析部１１がユーザの指先３０を示す特徴点を１ポイント検出した場合、表示制御部１４は、所定の大きさのポインタ２１を表示部３に表示する。
【００７２】
そしてユーザが指を２本伸ばした状態にすると、図１２（Ｃ）に示すように、画像解析部１１がユーザの指先３０を示す特徴点を２ポイント検出する。このときに表示制御部１４は、ポインタ２１の大きさを大きく変更して、ビッグポインタとして表示させる。ビッグポインタの大きさは予め定められている。そして図１２（Ｄ）では、ユーザは、表示されている電子書籍２０のページの上下または左右の端部に向けてポインタ２１を移動させる。
【００７３】
図１２（Ｅ）では、ページ端部に栞を付与するユーザ所望の位置にポインタ２１を移動させる。ポインタ２１の一部がページの端部にかかっている場合、ポインタ２１の位置で栞を付与することができる。ここではページの左右及び上下の全域を栞付与可能に設定することができるが、ページの端部の一部領域のみにポインタ２１がかかっているときに栞付与を可能としてもよい。
【００７４】
そして図１２（Ｆ）に示すように、ポインタ２１の一部がページの端部にかかっている状態で、ユーザは２つの指先３０の間隔を狭くする。画像解析部１１が画像解析により指先３０の間隔を検出し、表示制御部１４は、検出された指先３０の間隔をポインタ２１のサイズに反映させて表示する。つまり、２つの指先３０の間隔が短くなるほど、ポインタ２１のサイズを小さくする。
【００７５】
図１２（Ｇ）において、２つの指先３０の間隔が所定距離以下になったとき、ブックマーク設定部１５は、ポインタ２１の位置を示す情報を栞／ブックマーク記憶エリア５３に記憶させる。これにより、ブックマーク設定部１５によるブックマークの設定処理が開始される。指先３０の間隔を所定値以下にするジェスチャが、本発明の所定の第１のジェスチャに該当する。
【００７６】
次に図１３（Ａ）では、ユーザは指先３０を移動させて、ページの外側に向けてポインタ２１を移動させる。この場合、ページの外側へポインタを移動させる方向が本発明の特定の方向に相当し、ページの端部が本発明の特定の領域に相当する。
このとき表示制御部１４は、表示している電子書籍２０のページの端の一部が、ポインタ２１の移動に応じて外側に伸ばされるような表示２５を表示する。これによりユーザはブックマークを設定するための処理中であることを直観的に認識することができる。
【００７７】
図１３（Ｂ）に示すように、ユーザの指先３０の移動により、表示画面のポインタ２１がページの端部から所定の長さ以上移動し、その後、ユーザの２点の指先３０の間隔が所定値以上まで大きくなった場合、そのページに対するブックマークを確定する。指先３０の間隔を所定値以上まで大きくするジェスチャは、本発明の第２のジェスチャに相当する。
このときの所定値は、上記第１のジェスチャにより指先の間隔を狭くするときの所定値とは異なる値を採用できる。第１のジャスチャの判断に使用する所定値を第１の所定値とし、第２のジェスチャの判断に使用する所定値を第２の所定値とする。
【００７８】
これによりそのページの端部には、栞２４がブックマークとして表示される。そして図１３（Ｃ）に示すようにブックマークの指定処理が終了し、指先が検出されなくなっても栞２４が表示される。指定されたブックマークは、栞／ブックマーク記憶エリア５３に記憶される。
ユーザは、所定の操作を行うことでブックマークページ一覧を表示させることができる。
ブックマーク一覧の表示例は、上記実施形態２と同様とすることができる。
【００７９】
図１４〜図１５は、実施形態３による処理の流れを説明するためのフローチャートである。以下図１の構成を参照しながら説明する。
まず、表示制御部１４は、画像記憶エリア５１から画像データのファイルを読み取り（ステップＳ６１）、ファイルの内容を表示部３に表示する（ステップＳ６２）。そして撮影部２よる撮影を開始し（ステップＳ６３）、撮影した画像を制御部１が取得する（ステップＳ６４）。そして制御部１の画像解析部１１は、取得した画像を解析する（ステップＳ６５）。
【００８０】
画像解析の結果、撮影した画像からユーザの指先が検出されたか否かを判断する（ステップＳ６６）。ここで指先が検出されなければ、ステップＳ６４に戻って、撮影された画像を取得する。また、指先が検出された場合（ステップＳ６６−Ｙｅｓ）、画像解析部１１は、その指先が１ポイントであるかを判別する（ステップＳ６７）。
ここで検出された指先が１ポイントであれば、その検出位置に応じたポインタの表示位置が、栞位置か否かを判別する（ステップＳ８３）。栞位置とは、電子書籍に設定されているブックマークとしての栞を表示する位置であり、この位置をポインタで操作することにより、電子書籍の栞を指定したページを開くことができる。
【００８１】
１ポイントの指先に応じたポインタの表示位置が栞位置である場合には、表示制御部１４は、その栞位置に応じた電子書籍のページを開いて表示する（ステップＳ８４）。一方、ポインタの表示位置が栞位置でない場合には、表示制御部１４は、指先を検出した座標に応じてポインタ表示を行い（ステップＳ８５）、ステップＳ６４に戻る。
【００８２】
ステップＳ６７で、検出された指先が１ポイントではない場合、画像解析部１１は、指先が２ポイントであるかを判別する（ステップＳ６８）。２ポイントとは、２本の指先が検出されたことを意味する。そして検出された指先が２ポイントである場合、表示制御部１４は、ポインタのサイズを大きくしたビッグポインタを表示させる（ステップＳ６９）。
【００８３】
そして撮影部２より撮影した画像を取得して（ステップＳ７０）、画像解析部１１によって取得した画像を解析する処理を続行し（ステップＳ７１）、表示制御部１４は、画像解析部１１が検出した検出座標に相当する位置にポインタを表示させる（ステップＳ７２）。ここで領域判定部１３は、ポインタの表示位置がページ端部であるかを判定する（ステップＳ７３）。ページ端部は、ブックマークとしての栞の設定処理を実行可能とした領域であり、ポインタの一部がページ端部にかかっている場合に所定のジェスチャを行うことでブックマークの設定処理を開始することができる。
【００８４】
ポインタの表示位置がページ端部でなければ、ポインタが２ポインタのままであるか判断し（ステップＳ８６）、２ポイントであればステップＳ７０に戻って画像取得を継続し、２ポイントでなければステップＳ６４に戻って画像取得を継続する。
ステップＳ７３でポインタの表示位置がページ端部であった場合、画像解析部１１は、撮影部２より撮影した画像を取得して（ステップＳ７４）、取得した画像を解析する処理を続行し（ステップＳ７５）、指先が１ポイントであるかを判断する（ステップＳ７６）。指先が１ポイントでなければ、さらに画像解析部１１は、指先が２ポイントであるか判断し（ステップＳ８７）、２ポイントであれば表示制御部１４は、２ポイントの指先の間隔に合わせたポインタ表示を行って（ステップＳ８８）、ステップＳ６４に戻る。また、２ポイントでなければ、ステップＳ７４に戻って画像取得を継続する。
【００８５】
ステップＳ７６で指先が１ポイントである場合、表示制御部１４は、指先の検出座標の位置に応じてページの端部の伸び表示を行う（ステップＳ７７）。ここではページの端部を摘まんで外側に伸ばしたような表示を行う。そしてジェスチャ判断部１２は、伸び量が所定の伸び量に達したか、すなわちポインタの移動量が所定長以上であるか判断する（ステップＳ７８）。ポインタの移動量が所定の伸び量以上でなければ、ステップＳ７４に戻って画像を取得する。また、所定の伸び量以上であれば、さらに撮影部２により撮影した画像を取得して（ステップＳ７９）、画像解析部１１によって取得した画像を解析し（ステップＳ８０）、指先が２ポイントであるかを判断する（ステップＳ８１）。
【００８６】
ここで指先が２ポイントでなければ、ステップＳ７９に戻って画像を取得する処理を続行する。また指先が２ポイントであれば、そのページへのブックマークとして栞を確定し、栞を記憶するとともに栞を指定した電子書籍を表示させる。ブックマークとして栞は、複数の電子書籍について設定して記憶することができる。またブックマークを記憶させるときに、以前に記憶されているブックマークを消去するようにしてもよい。
この後、ステップＳ６４に戻って、撮影部２より撮影して画像を取得して画像解析部１１によって解析する処理を続行する。
【００８７】
上記各実施形態の処理により、ブックマークコマンドや操作メニューなどのブックマークを設定するための画像を表示させることなく、表示画面に対する直観的な操作を行うだけで容易にブックマークを設定することができるようにした画像表示装置を提供することができる。
なお上記の各実施形態で記載されている技術的特徴（構成要件）は、お互いに組み合わせ可能であり、組み合わせることにより、新しい技術的特徴を形成することができる。
【符号の説明】
【００８８】
１…制御部、２…撮影部、３…表示部、４…操作部、５…記憶部、６…記憶部、１０…画像表示装置、１１…画像解析部、１２…ジェスチャ判断部、１３…領域判定部、１４…表示制御部、１５…ブックマーク設定部、２０…電子書籍、２１…ポインタ、２２…折り込み、２３…内側に伸ばされるような表示、２４…栞、２５…外側に伸ばされるような表示、２６…ページ、３０…指先、５１…画像記憶エリア、５２…ブックマーク記憶エリア、５２…ポイント数記憶エリア、５３…栞／ブックマーク記憶エリア。
【図１】
2015090581.tif 000003
【図２】
2015090581.tif 000004
【図３】
2015090581.tif 000005
【図４】
2015090581.tif 000006
【図５】
2015090581.tif 000007
【図６】
2015090581.tif 000008
【図７】
2015090581.tif 000009
【図８】
2015090581.tif 000010
【図９】
2015090581.tif 000011
【図１０】
2015090581.tif 000012
【図１１】
2015090581.tif 000013
【図１２】
2015090581.tif 000014
【図１３】
2015090581.tif 000015
【図１４】
2015090581.tif 000016
【図１５】
2015090581.tif 000017